(57)【要約】【課題】ハリスがすっきりと収納できると共に小型化が可能な釣用仕掛巻を提供する。【解決手段】この仕掛巻１は、モトスと、該モトスに結ばれたハリスと、該ハリスの先端に取り付けられた針と、を有する仕掛けが巻き付けられるものである。仕掛巻１は、一例として樹脂成形品からなり、全体として円盤状に形成され、モトスが巻き付けられるモトス巻き部１０と、このモトス巻き部１０の内側に形成された、ハリスが巻き付けられるハリス巻き部２０と、針が引っ掛けられる針引掛け部２８とを備えている。【選択図】図２
2008173051.tif 000002
【特許請求の範囲】
【請求項１】
モトスと、該モトスに結ばれたハリスと、該ハリスの先端に取り付けられた針と、を有する仕掛けが巻き付けられる釣用仕掛巻であって、
前記モトスが巻き付けられるモトス巻き部と、
該モトス巻き部の内側に形成され、前記ハリスが巻き付けられるハリス巻き部と、
前記針が引っ掛けられる針引掛け部と、
を備えることを特徴とする釣用仕掛巻。
【請求項２】
前記ハリス巻き部が、前記仕掛巻の略中心部に形成された小径円筒部であり、
前記針引掛け部が、該小径円筒部の外側に形成された、径方向外向きに延び出した凹凸部であり、
前記モトス巻き部が、該凹凸部の更に外側に形成された、一対のフランジ部を有する大径円筒部であることを特徴とする、請求項１に記載の釣用仕掛巻。
【請求項３】
前記小径円筒部は、その軸線方向に見て、前記フランジ部の側面よりも突出しており、
前記小径円筒部が形成された側の面の反対側には、仕掛巻同士を重ねた際に、相手方の仕掛巻の小径円筒部が収まる凹部が形成されていることを特徴とする、請求項２に記載の釣用仕掛巻。
【発明の詳細な説明】
【技術分野】
【０００１】
本発明は、複数の針が付いた仕掛けを巻き付けることができる釣用仕掛巻に関し、特には、ハリスがすっきりと収納できると共に小型化が可能な釣用仕掛巻に関する。
【背景技術】
【０００２】
釣りの仕掛けを巻き取る「仕掛巻」としては、従来、板型のものや、円板型のものなど種々知られている（例えば特許文献１参照）。
図８は、従来の一般的な仕掛巻を示す図である。図８の仕掛巻１０１は、仕掛けが巻き付けられる円筒状の巻付け部１１２と、その両側に形成された一対のフランジ部１１５Ａ、１１５Ｂと、を備えている。フランジ部１１５Ａ、１１５Ｂは、例えば、樹脂発泡体であるＥＶＡ等で構成されており、その表裏面に針１３２を引っ掛けることができるようになっている（図８（Ａ）参照）。
【０００３】
このような円盤型の仕掛巻は、板型のものに比べて、仕掛けに巻癖が付きにくいという利点がある。そのため、太いモトスが使われることの多い海釣り用の仕掛けを巻き取るのに向いている。
【０００４】
この仕掛巻１０１に仕掛けを巻き付ける方法としては、大きく分けて、図８（Ａ）に示す方法と、図９に示す方法との２つがある。
図８（Ａ）の巻付け方法は、モトス１３３とハリス１３１との結び目１３５付近がＹ字型になるように、仕掛けを巻き付けるものである。
【０００５】
このように巻き付けるためには、仕掛け（モトス１３３）を巻き付け部１１２に巻き付けていく途中で、ハリス１３１との結び目１３５のところまできたら、針１３２をフランジ部１１５Ａの表面側に引き出す。次いで、結び目１３５付近のハリス１３１及びモトス１３３がＹ字型となるように針１３２及びハリス１３１を引っ張り、ハリス１３１に張力を付与した状態で針１３２をフランジ部１１５Ａの表面に突き刺す。こうして針１３２が固定されたら、その後、再びモトス１３３を巻付け部１１２に巻き付けていき、以降、結び目１３５がくる度に上記同様の作業を繰り返すことで、全仕掛けの巻き付けが完了する。
【０００６】
一方、図９の巻付け方法は、ハリス１３１が比較的長い場合に用いられるものである。この方法は、モトス１３３とハリス１３１とを、巻付け部１１２（図８参照）に一緒に巻き付けていき、残ったハリス１３１の長さをフランジ部１１５Ａの直径よりも短くしてから、ハリス１３１をフランジ部１１５Ａの表面側に引き出して、針１３２をフランジ部１１５Ａの表面に突き刺すものである。
この巻付け方法の場合、ハリス１３１の長さが仕掛巻の直径よりも長い場合であっても、ハリス１３１をピンと張った状態で固定することができる。
【特許文献１】特開平２−２０４７７号公報
【発明の開示】
【発明が解決しようとする課題】
【０００７】
上記説明からも明らかなように、図８（Ａ）のような巻付け方法では、ハリス１３１の長さが仕掛巻１０１の直径よりも長い場合には対応できない。こうした長いハリス１３１の仕掛けに対応するためには、仕掛巻１０１の直径を大きくすればよいが、この場合、仕掛巻１０１が大型化してしまい、仕掛巻１０１の持運びに不便となる。一方、図９のような巻付け方法によれば、長いハリス１３１の仕掛けにも対応することができるが、ハリス１３１が途中で折れ曲がるために、巻癖が付くという問題が生じる。
【０００８】
本発明は、上記のような問題点に鑑みてなされたものであり、その目的は、ハリスがすっきりと収納できると共に小型化が可能な釣用仕掛巻を提供することにある。
【課題を解決するための手段】
【０００９】
上記目的を達成するための、本発明の釣用仕掛巻は、
モトスと、該モトスに結ばれたハリスと、該ハリスの先端に取り付けられた針と、を有する仕掛けが巻き付けられる釣用仕掛巻であって、
前記モトスが巻き付けられるモトス巻き部と、
該モトス巻き部の内側に形成され、前記ハリスが巻き付けられるハリス巻き部と、
前記針が引っ掛けられる針引掛け部と、
を備えることを特徴とするものである。
【００１０】
このような構成によれば、モトス巻き部とは別にハリス巻き部が設けられており、ハリスをこのハリス巻き部に巻き付けた後に、針を任意の位置に引っ掛けることができる。したがって、ハリスが長い場合にも仕掛巻の径を大きくする必要がなく、小型化を図ることが可能となる。また、ハリスをすっきりと収納することができる。
【００１１】
なお、「ハリスを巻き付ける」とは、ハリスを、上記ハリス巻き部の外周に沿って３６０°以上（一周以上）に巻きつけることだけでなく、３６０°未満の任意の円弧長にわたって、ハリス巻き部の外周に沿わせることも含む（後述する図２の状態参照）。  
また、「針が引っ掛けられる」とは、凹凸部や樹脂発泡体に針が引っ掛けられ（突き刺して引っ掛けることを含む）て固定されるもののほか、マグネット等に針が吸着固定されることも含む。
【００１２】
本発明の釣用仕掛巻は、また、
前記ハリス巻き部が、前記仕掛巻の略中心部に形成された小径円筒部であり、
前記針引掛け部が、該小径円筒部の外側に形成された、径方向外向きに延び出した凹凸部であり、
前記モトス巻き部が、該凹凸部の更に外側に形成された、一対のフランジ部を有する大径円筒部であることを特徴とするものである。
【００１３】
ハリス巻き部が円筒部であれば、ハリスを巻き付けた際に巻癖が付き難いという利点がある。
【００１４】
本発明の釣用仕掛巻は、また、
前記小径円筒部が、その軸線方向に見て、前記フランジ部の側面よりも突出しており、
前記小径円筒部が形成された側の面の反対側には、仕掛巻同士を重ねた際に、相手方の前記仕掛巻の前記小径円筒部が収まる凹部が形成されていることを特徴とするものである。
【００１５】
このような構成によれば、複数の仕掛巻を重ねた場合であっても、一方の仕掛巻のハリス巻き部（小径円筒部）が、それに重なる他の仕掛巻の凹部内に収まることとなるので、嵩張ることなく、コンパクトな収納が実現される。
【発明の効果】
【００１６】
上述したように、本発明によれば、ハリスがすっきりと収納できると共に小型化が可能な釣用仕掛巻を提供することができる。
【発明を実施するための形態】
【００１７】
以下、本発明の実施の形態について、図面を参照しながら詳細に説明する。
図１は、本発明の一形態である仕掛巻を示す斜視図であり、図２は、その仕掛巻の平面図である。
図３（Ａ）は、図２の仕掛巻の側面図であり、図３（Ｂ）は、図２のＡ−Ａ切断線における断面図である。図４は、図２の仕掛巻の背面図である。図５は、この仕掛巻に巻き付けられる釣用仕掛けの一例を示す図である。
【００１８】
まず、本実施形態の釣用仕掛けの一例について説明する。
図５に示すように、この釣用仕掛けＡは複数の針３２が付いた「多点針仕掛け」であり、１本のモトス３３と、このモトス３３に結ばれ、先端に針３２が取り付けられた複数本（２〜１５本程度）のハリス３１と、を有している。モトス３５の基端（図示左端）には、ヨリモドシ３４が結び付けられている。
仕掛けＡの全長は例えば１〜３ｍ程度であり、ハリス３１の一般的な長さは３〜７ｃｍ程度である。
【００１９】
次に、図１〜図４を参照して本実施形態の仕掛巻について説明する。
図１に示すように、この仕掛巻１は、上記のような釣用仕掛けＡを巻き付けることができるものであって、全体として薄い円盤状に形成された樹脂成形品である。
この仕掛巻１は、大きく分けて、モトス３５が巻き付けられるモトス巻部１０と、その内側に沿って形成された針引掛け部２８と、同仕掛巻１の中心部に形成された小径円筒部（ハリス巻き部２０）と、を備えている。
【００２０】
モトス巻部１０は、仕掛巻１の最外周部に設けられており、モトス３３が巻かれる円筒状の巻付け部１２と、その両側（図３（Ａ）の上下両側）に形成された一対のフランジ部１５、１６と、によって構成されている。
【００２１】
一対のフランジ部のうちの一方（ハリス巻き部２０が形成された側のフランジ部１５）は、図２に示すように、径方向外向きに放射状に延び出した多数の突起片１５ａからなる。多数の突起片１５ａは、円周方向に等間隔で配置されており、突起片１５ａ同士の間にモトス３３が通されるようになっている。別な言い方をすれば、隣り合う突起片１５ａの間が、モトス３３を通すための溝（放射状に延びる溝）となっている。
【００２２】
突起片１５ａの数は、仕掛巻１のサイズなどに応じて適宜変更すればよく、特に限定されるものではないが、この例では３２個である。突起片１５ａ同士の間にモトス３３を入れ易くするために、突起片１５ａの先端側（径方向外側）をなだらかなＲ状とすることが好ましい。
一例として、突出片１５ａは、その幅（円周方向の寸法をいう）が４ｍｍ、長さ（半径方向の寸法をいう）が５．５ｍｍであって、先端にｒ＝２ｍｍのＲ部が形成されたものであってもよい。
【００２３】
反対側のフランジ部１６は、図４（背面図）に示すように、仕掛巻１のほぼ全周にわたって形成されているが、数箇所に、モトス３３のヨリモドシ側の端部を引っ掛けるための溝１９が形成されている。
【００２４】
この溝１９は、略逆Ｔ字型に形成されており、半径方向に延びる導入溝１９ａと、該導入溝１９ａの最内側部から円周方向に沿って円弧状に切り込まれた引掛け溝１９ｂとで構成されている。本実施形態では、このような溝１９が、仕掛巻１の外周に沿って等間隔で６箇所に形成されている。
【００２５】
次に、小径円筒部（ハリス巻き部２０）、及び、その外側に形成された凹凸状の針引掛け部２８について説明する。
ハリス巻き部２０は、図２に示すように、モトス掛け部１０の内側に形成された円形ディスク部２５の中央に設けられている。この円形ディスク部２５は、厚み１〜２ミリ程度の平板部である（図３（Ｂ）参照）。図２に示すように、この平板部の外周付近には６つの略櫛形の開口部１８が形成されている。
【００２６】
別な言い方をすれば、円形ディスク部２５は、開口部１８同士の間に残された半径方向に延びる６本の支持部２７によって支持された平板部であり、その外周部は、櫛形の開口部１８の櫛形部分に対応した凹凸部となっている。具体的には、この凹凸部は、径方向外向きに延び出した多数の突起部２８ａと、その間に形成された凹部２８ｂと、からなっている。
【００２７】
ハリス巻き部２０は、図３（Ｂ）に示すように、円形ディスク部２５から上向きに立ち上がった小径（一例としてφ１５ｍｍ）の円筒部２１として構成されている。
この小径円筒部２１は、フランジ部１５の側面（上面）よりも高く突出しており、全体としてある程度の高さが確保されている。後述するように、この小径円筒部２１は、その外周にハリス３１が巻き付けられるものであるため、このようにある程度の高さが確保されていることで、ハリス３１の巻き付けが行い易くなっている。
【００２８】
小径円筒部２１の上端には（図３参照）、巻き付けたハリス３１が上方にずれて抜けるのを防止するための鍔片２１ａが形成されている。鍔片２１ａは円周方向に等間隔で６つ形成さている。
【００２９】
図２、図３（Ｂ）に示すように、円形ディスク部２５のうち鍔片２１ａの下側となる領域には、開口部２５ｈが形成されている。これは、金型でこの仕掛巻１を成形する都合上必要となるものである。
【００３０】
図３（Ｂ）に示すように、厚みが比較的薄い円形ディスク部２５は、仕掛巻１の厚み方向の真ん中よりもやや上寄りに設定されており、これにより、円形ディスク部２５の下面側（背面側）に、ある程度の深さのある凹部２６が形成されている。この凹部２６が形成されているため、図６に示すように、複数の仕掛巻１を重ねた場合であっても、一方の仕掛巻１のハリス巻き部２０（小径円筒部２１）が、その上に重なる他の仕掛巻１′の凹部２６内に収まることとなる。これにより、嵩張ることのない、コンパクトな収納が実現される。
【００３１】
次に、以上のように構成された本実施形態の仕掛巻１の使用方法について、ハリス３１が長い場合と、ハリス３１が短い場合とに分けて説明する。
図７は、ハリス３１が長い場合（仕掛巻の円形ディスク部２５の直径よりも長い場合をいう）の、仕掛けの巻付け方法の一例を示す図である。
【００３２】
まず、図７（Ａ）に示すように、モトス３３をモトス巻き部１０に巻き付けていき、結び目３５が現れた時点で、一例として、突出片１５ａ−１、１５ａ−２の間を通すようにしてモトス３３を仕掛巻１の上面側に引き出す。次いで、ハリス３１の針３２側を摘みながら、ハリス３１をハリス巻き部２０外周に沿って略Ｕ字状に湾曲させ、針３２を円形ディスク部２５外周の凹部２８ｂ−１に引っ掛ける。
【００３３】
そして、図７（Ｂ）に示すように、結び目３５付近が「Ｙ字型」となるように、モトス３３の結び目３５より下流側を例えば突出片１５ａ−４、１５ａ−５の間に通す。この際、モトス３３を下流側に引っ張ることで、ハリス３１にも張力が与えられ、ハリス３１及びモトス３３がピンと張った状態で巻き付けられることとなる。針３２は、円形ディスク部２５外周の凹部２８ｂ−１に引っ掛かっており、外れることはない。
【００３４】
以降、結び目３５が現れる度に上記同様の作業を繰り返していき、全ての針３２を円形ディスク部２５外周の各凹部２８ｂに適宜引っ掛けると共に、モトス３３のヨリモドシ側の端部を、フランジ部１６の溝１９（図４参照）に引っ掛けることで、仕掛けの巻き付けを完了する。
【００３５】
仕掛けを取り外す際には、まず、モトス３３のヨリモドシ側の端部を溝１９から引外し、上記とは逆の手順でモトス３３を引き出し、針３２を順次取り外していけばよい。本実施形態の仕掛巻１は、円形ディスク部２５外周の凹部２８ｂに針３２を引っ掛けるものであるので、針３２をＥＶＡ等の発泡樹脂に差し込んで固定するものに比較して、針の取外しが容易である。
【００３６】
ハリス３１が短い場合は、図２に示すように、ハリス３１をハリス巻き部３２外周に沿って巻き付ける必要はなく、「Ｙ字型」となる結び目３５のところから、針３２及びハリス３１を真っ直ぐに引き出して、針３２を任意の凹部２８ｂに引っ掛ければよい。
【００３７】
以上説明したように、本実施形態の仕掛巻１によれば、仕掛巻１の中心部にモトス巻き部１０とは別にハリス巻き部２０が設けられており、ハリス３１をこのハリス巻き部２０に巻き付けて針を引っ掛けることができるので、ハリス３１が長い場合であっても、良好に仕掛けを巻き付けることができる。このような構成によれば、仕掛巻１の径を大きくする必要もなく、また、図９の巻付け方法（ハリスがフランジ１１５Ａをまたぐ巻付け方法）に比べてハリス３１に巻癖も付き難い。
【００３８】
なお、仕掛巻中心部のハリス巻き部２０は円形断面に限定されるものではなく、矩形断面又は多角形断面であってもよいが、本実施形態のように円形断面であれば、ハリス３１に巻癖が付き難いという利点がある。
【００３９】
本実施形態の仕掛巻１の場合、１つの樹脂成形品として作ることができるので、組立てが不要であり、製造コストを大幅に抑えることができる。
また、本実施形態の構成は、針３２をＥＶＡ等の発泡樹脂体に突き刺すものではなく、樹脂からなる円形ディスク部２５外周の凹凸部に引っ掛けるものである。針３２を発泡樹脂体に突き刺す構成の場合、針３２を突き刺す際に差し込んだ分の寸法だけハリス３１に緩みが生じるが、本実施形態の仕掛巻１によればそうした緩みを生じさせることもない。
【００４０】
ところで、海釣りで使用した仕掛けは、使い終わった際に針３２等に塩分が残っているため、錆び易いという問題がある。あるいは、使用しなかった仕掛けであっても、潮風に晒されることにより塩分が付着することから、錆が生じ易くなる。
【００４１】
これを防止するには、持ち帰った仕掛けを水洗いして塩分を洗い流しておけばよいが、図８に示したような発泡樹脂体に針を突き刺す構成の場合、発泡樹脂体に水が残ってしまい逆に錆が助長されることもある。これに対して、本実施形態の仕掛巻１によれば、樹脂からなる円形ディスク部２５外周の凹部２８ｂに針３２を引っ掛けるものであり、針３２付近に水が残りにくいため、仕掛けを巻いたままの状態で水洗いすることが可能である。
【００４２】
もっとも、上記記載は、本発明の仕掛巻において針３２の引掛け部（固定部）を発泡樹脂体とすることを排除するものではない。モトス巻き部１０とは別にハリス巻き部２０が設けられている限り、本発明の主たる目的である仕掛巻の小型化を図ることができるためである。
【００４３】
また、本実施形態の仕掛巻１によれば、仕掛巻１の背面側（図３、図６の下面側）に凹部２６が形成されているので、図６に示すように複数の仕掛巻１を重ねた場合であっても、嵩張ることなく、コンパクトに収納することができる。
【００４４】
以上、本発明の仕掛巻きの一形態について説明したが、本発明の仕掛巻は上記の具体的な構成に限定されるものではなく種々変更可能である。
例えば、仕掛巻１の全体的な外形が多角形型であってもよい。また、フランジ部１５についても、図２に示したような複数の突出片１５ａからなるものに限らず、環状のフラン部１５に複数のＶ溝を形成するようにしてもよい。
【００４５】
針３２を引っ掛ける凹部２８ｂの形状も適宜変更可能であり、例えば、より細い線状の溝として、針３２を引っ掛けた時点（図７（Ａ）参照）で仮固定されるような構成としてもよい。
【図面の簡単な説明】
【００４６】
【図１】本発明の一形態である仕掛巻を示す斜視図である。
【図２】本発明の一形態である仕掛巻を示す平面図である。
【図３】図３（Ａ）は、図２の仕掛巻の側面図であり、図３（Ｂ）は、図２のＡ−Ａ切断線における断面図である。
【図４】図２の仕掛巻の背面図である
【図５】仕掛巻に巻き付けられる釣用仕掛けの一例を示す図である
【図６】複数の仕掛巻を重ねた状態を示す断面図である。
【図７】仕掛けの巻付け方を説明するための図である。
【図８】従来の仕掛巻の一例を示す図である。
【図９】図８の仕掛巻に長いハリスの仕掛けを巻く際の様子を示す図である。
【符号の説明】
【００４７】
１、１′・・・仕掛巻、１０・・・モトス掛け部、１５、１６・・・フランジ部、１５ａ・・・突出片、１８・・・開口部、１９・・・溝
２０・・・ハリス巻き部、２１・・・小径円筒部、２１ａ・・・鍔片、２５・・・円形ディスク部、２５ｈ・・・開口部、２６・・・凹部、２７・・・支持部、２８・・・針引掛け部、２８ａ・・・突起部、２８ｂ・・・凹部
３１・・・ハリス、３２・・・針、３３・・・モトス、３４・・・ヨリモドシ
Ａ・・・仕掛巻、Ｓ・・・隙間
【図１】
2008173051.tif 000003
【図２】
2008173051.tif 000004
【図３】
2008173051.tif 000005
【図４】
2008173051.tif 000006
【図５】
2008173051.tif 000007
【図６】
2008173051.tif 000008
【図７】
2008173051.tif 000009
【図８】
2008173051.tif 000010
【図９】
2008173051.tif 000011